(57)【要約】【課題】  接着剤バリの発生を有効に防止できるように改善した点火コイルを提供する。【解決手段】  中心鉄芯１の外側に、一次コイルと二次コイルとを同軸的に配置してなる内燃機関用点火コイルにおいて、中心鉄芯１の軸方向ほぼ全体を絶縁フィルムＴＰで覆うと共に、絶縁フィルムＴＰから露出する中心鉄芯１の軸方向両端部１Ｃ，１ＣをコアキャップＣＰで覆って構成され、中心鉄芯１の軸方向の終端面１Ｄ，１Ｄには、切込み溝又は切欠きが形成されている。【選択図】  図２
2006080189.tif 000002
【特許請求の範囲】
【請求項１】
中心鉄芯の外側に、一次コイルと二次コイルとを同軸的に配置してなる内燃機関用点火コイルにおいて、
前記中心鉄芯の軸方向ほぼ全体を絶縁フィルム材で覆うと共に、前記絶縁フィルムから露出する前記中心鉄芯の軸方向両端部をコアキャップで覆って構成され、
前記中心鉄芯の軸方向の終端面には、切込み溝又は切欠きが形成されていることを特徴とする内燃機関用点火コイル。
【請求項２】
複数種類の磁性鋼板を積層して中心鉄芯を構成する組立工程と、前記中心鉄芯の軸方向終端面に、切込み溝又は切欠きを形成する切除工程と、前記中心鉄芯の外周面に絶縁テープを巻き付けるテープ巻き工程と、前記中心鉄芯の軸方向両端部に、略円筒型のコアキャップを被せて接着する接着工程とを備えて製造されたことを特徴とする内燃機関用点火コイル。
【請求項３】
前記中心鉄芯は、複数枚の磁性鋼材を積層して構成され、前記切込み溝は、前記鋼材の積層方向に一直線に形成されている請求項１に記載の内燃機関用点火コイル。
【請求項４】
請求項１〜３の何れかに記載の点火コイルを備える自動車。
【発明の詳細な説明】
【技術分野】
【０００１】
本発明は、自動車などのエンジンのプラグホールに取り付けられ、先端部に点火プラグが装着されて使用される内燃機関用点火コイル、及びこの点火コイルを内蔵する自動車に関する。
【背景技術】
【０００２】
内燃機関用点火コイルとしては、丸棒状の中心鉄芯の外側に、二次ボビンに巻かれた二次コイルが配置され、さらにその外側に、一次ボビンに巻かれた一次コイルが配置されたものが知られている。中央鉄芯は、一般に、ケイ素鋼板を複数枚積層して構成されるが、その中心鉄芯の周りに絶縁性の緩衝テープを巻き付けると共に、中心鉄芯の軸方向両端部にコアキャップを被せるものが知られている（特許文献１）。
【特許文献１】特開２００４−７１９１１号公報
【発明の開示】
【発明が解決しようとする課題】
【０００３】
特許文献１に記載のような構成の中央鉄芯では、コアキャップの組付け時に、接着剤がコアキャップから溢れ出すことがあるので、点火コイルの経年使用によって、溢れ出した接着剤バリ(burr）の部分を基点として、中央鉄芯の回りのモールド樹脂にクラックが発生することがあった。そして、モールド樹脂にクラックが発生すると、絶縁不良によって点火コイルの点火特性が悪化するなどの不具合が生じる。
【０００４】
接着剤が溢れ出す原因としては、コアキャップの内周面形状を、中央鉄芯の軸方向両端の外周面形状にほぼ一致させざるを得ない点を挙げることができる。ここで、両者の形状をほぼ一致させるのは、確実な接着性を達成するためであるから、製造上不可避の条件となる。
【０００５】
図８及び図９は、溢れ出した接着剤による接着剤バリを説明するための図面である。ここでは、各部材の製造上の許容誤差の関係で、中心鉄芯５０に巻かれた緩衝テープ５１の先端部ＴＯＰが、コアキャップ５２を無理に押し広げながら、挿入される状態を示している。このような挿入状態の場合には、接着剤５３は、やや加圧された状態で僅かな隙間に殺到することになり、その結果、コアキャップ５２から外に勢いよく接着剤５３が溢れ出ることがあった。特に、中心鉄芯５０を水平状態に保持した状態で、接着剤５３を保有したコアキャップ５２を被せる場合には、図９に示すように、接着剤５３は垂直下方に移動するので、その分だけ、コアキャップ５２から接着剤５３が溢れ出る可能性が高まる。
【０００６】
溢れ出した接着剤は、外観上の商品価値を損なうだけでなく、溢れ出した接着剤の分だけ、本来予定している接着性が損なわれることになる。なお、コアキャップ５２に保有された接着剤５３の量が設計値より多い場合には、かなりの量の接着剤５３がコアキャップ５２から溢れ出ることから、上記した接着剤バリの弊害は更に深刻となる。
【０００７】
本発明は、上記の問題点に鑑みてなされたものであって、接着剤バリの発生を有効に防止できるように改善した点火コイルを提供することを課題とする。また、接着剤バリの発生を有効に防止できる点火コイルを内蔵した自動車を提供することを課題とする。
【課題を解決するための手段】
【０００８】
上記目的を達成するために、請求項１に係る発明は、中心鉄芯の外側に、一次コイルと二次コイルとを同軸的に配置してなる内燃機関用点火コイルにおいて、前記中心鉄芯の軸方向ほぼ全体を絶縁フィルムで覆うと共に、前記絶縁フィルムから露出する前記中心鉄芯の軸方向両端部をコアキャップで覆って構成され、前記中心鉄芯の軸方向の終端面には、切込み溝又は切欠きが形成されていることを特徴とする。
【０００９】
また、請求項２に係る発明は、複数種類の磁性鋼板を積層して中心鉄芯を構成する組立工程と、前記中心鉄芯の軸方向終端面に、切込み溝又は切欠きを形成する切除工程と、前記中心鉄芯の外周面に絶縁テープを巻き付けるテープ巻き工程と、前記中心鉄芯の軸方向両端部に、略円筒型のコアキャップを被せて接着する接着工程とを備えて製造された内燃機関用点火コイルである。
【００１０】
上記各発明では、中心鉄芯の軸方向の終端面に、切込み溝又は切欠きが形成されているので、中心鉄芯にコアキャップを被せた際には、切込み溝や切欠きが接着剤の移動通路として機能する。そのため、コアキャップ装着時に加圧状態が生じても、接着剤は、中心鉄芯の軸方向両端部の全域に円滑に行き渡ることになり、接着剤の偏在による接着不良や、接着剤の溢れ出しの問題が解消される。また、切込み溝や切欠き部は、接着剤の溜まり部としても機能するので、コアキャップの装着時に、仮に加圧状態となっても、接着剤が外部に溢れ出すことなくコアキャップ内に保持される。また、切込み溝や切欠き部は、中心鉄芯の軸方向ほぼ全体を絶縁フィルムで覆う作業において、中心鉄芯を所定状態に保持するための位置決め溝の役目を果たすこともでき、組立て精度を向上させることもできる。
【００１１】
本発明において、切込み溝の形状や構造は特に限定されないが、短冊状の鋼板を複数枚積層して中心鉄芯を構成する場合には、中心鉄芯の中心点を通って、積層方向の一方側から他方側まで全ての鋼板の一部を切除して一直線に形成した切込み溝が好適である。このような切込み溝は、中心鉄芯の組立て後に形成しても良いし、予め鋼板に切欠きを設けておくのでも良い。但し、製作容易性及び精度上の観点からは、中心鉄芯の組立て後に切込み溝を形成するのが効果的である。
【００１２】
切込み溝は、必ずしも一本である必要はなく、複数本設けても良い。この場合、中心鉄芯の中心点を通過して一直線に切込み溝を形成し、全体として十字状又は放射状に形成するのが効果的である。
【００１３】
一方、終端面を切欠く場合は、例えば、図７に示すように、終端面を円弧状その他の凹形状に切除すれば良い。この構成の場合、終端面に設けた凹部は、接着剤の溜まり部（逃げ空間）として機能するので、コアキャップの装着時に、コアキャップ内部に加圧状態が生じても、接着剤の逃げる空間が確保されている分だけ、接着剤が外部に噴出するおそれがない。
【００１４】
断面を略多角形に形成した中心鉄芯の場合には、終端面の周縁直線部が接着剤の移動通路として機能するので、必ずしも、積層方向の全ての鋼板を切除して切込み溝を設ける必要はなく、終端面の周縁部を切除しない凹部を設ける構成でも効果的である。
【発明の効果】
【００１５】
以上詳述したように、本発明によれば、接着剤バリの発生を有効に防止できるように改善した点火コイルを実現できる。また、切込み溝や切欠き部が位置決めに活用できるので、高精度の点火コイルを円滑に製造できる。
【発明を実施するための最良の形態】
【００１６】
以下、実施例に係る内燃機関用点火コイルについて、その概略構成から説明する。図１は、実施例に係る点火コイルの概略縦断面図である。この点火コイルは、エンジンのプラグホールに取り付けられると共に、先端部に点火プラグが装着されて、点火プラグに高電圧を直接供給するものである。
【００１７】
図示の通り、本実施例の点火コイルは、中心部から順に、中心鉄芯１、二次ボビン２に二次巻き線が巻かれた二次コイル３、一次ボビン４に一次巻き線が巻かれた一次コイル５がそれぞれ同心に配置され、それらは略円筒状のケース６に収納される。また、一次コイル３の外周面には、周方向の一部に切欠きを備えて略Ｃ字状に形成された鋼板からなる外装鉄芯７が装着される。なお、中心鉄芯１の長手方向両端部には、鉄芯の磁束の飽和を抑制するために、一次コイル５で発生する磁束と反対方向の磁束を発生させる永久磁石を装着してもよい。
【００１８】
ケース６内には、熱硬化性エポキシ樹脂が充填される。このエポキシ樹脂は、中心鉄芯１と二次コイル３の間、二次コイル３と一次コイル５の間、一次コイル５とケース６の間にそれぞれ侵入し、それらの間の絶縁性を確保する。なお、ケース６の上部には、イグナイタ８などが収容される大径部６ａが形成されているが、エポキシ樹脂はこの大径部６ａにも充填される。このエポキシ樹脂は、ケース６の上部開口から注入充填され、均一温度の硬化雰囲気温度に保たれた炉に一定時間保持されて硬化される。
【００１９】
ケース６の上部には、一次電流をオンオフするための点火駆動回路としてのイグナイタ８が設けられると共に、イグナイタ８に一次電流を供給するための一次電流入力用コネクタ端子９が設けられる。ケース６の下部には、二次コイル３に電気的に接続された二次高圧端子１０を介して、スプリング１１が設けられる。このスプリング１１を介して、ケース６の下部には点火プラグが接続される。その接続部は、プラグホール等の金属部に高電圧がリークしないように、ケース６の下部に設けられたプロテクタ１２に内蔵される。
【００２０】
中心鉄芯１の外周面には、電気的絶縁性を有する緩衝テープＴＰが巻き付けられる。本実施例の緩衝テープＴＰは、薄いポリエステルフィルムとされ、内面側に接着剤を塗布した矩形状のフィルムが中心鉄芯１の外周面に巻かれる。なお、緩衝テープＴＰは、中心鉄芯１の上下両端部１Ｃ，１Ｃを少しだけ残して巻かれており、そのため、中心鉄芯１の上下両端部１Ｃ，１Ｃは、緩衝テープＴＰから露出した露出部となる。
【００２１】
この露出部（上下両端部）１Ｃ，１Ｃには、有底円筒状のコアキャップＣＰが装着される。このコアキャップＣＰは、耐熱性に優れた弾性体で形成され、中心鉄芯１の両端部に被せて接着されて、短冊板ＰＬとエポキシ樹脂の熱膨張率の差を吸収する緩衝材として機能する。
【００２２】
本発明の点火コイルは、基本的に上述のような構造であるが、特に中心鉄芯１の構造及び製造方法に特徴を有するので、この点を更に説明する。本実施例の中心鉄芯１は、(1)磁性鋼板をプレス装置で切り抜いて、所定長で幅のみ異なる複数種類の短冊板ＰＬ・・・ＰＬを製造する裁断工程と、(2)複数種類の短冊板ＰＬ・・・ＰＬを束ねて積層すると共に、カシメ加工によって全体を一体化する組立工程と、(3)一体化された短冊板の軸方向終端面１Ｄ，１Ｄに、切込み溝１Ａ又は切欠き凹部を形成する切除工程と、(4)中心鉄芯１の外周面に緩衝テープを巻き付けるテープ巻き工程と、(5)中心鉄芯１の軸方向両端部（露出部）１Ｃ，１Ｃに、略円筒型のコアキャップＣＰを被せて接着する接着工程を経て製造される。
［裁断工程〜切除工程］
図２（ａ）は、組立工程後の中心鉄芯１の状態を図示したものであり、この実施例では、０．２〜０．５ｍｍ程度の珪素鋼板で構成された短冊板ＰＬ…ＰＬを複数枚積層して、全体として断面略八角形の中心鉄芯１に形成している。図示の通り、積層方向の中央部には、最も幅広の短冊板を所定枚数配置し、その上下には、積層方向に向けて順番に幅の狭い短冊板を配置している。
【００２３】
この実施例の場合、切除工程に先立って、図の矢印方向にカシメ加工が施されるので、中心鉄芯の長さ方向の一定間隔毎に凹部１Ｂが２〜３個形成され、各凹部１Ｂの径方向反対側の対称位置には凸部が形成される。なお、カシメ加工に代えて、エポキシ接着剤によって短冊板ＰＬを互いに接着しても良いし、カシメ加工に代えて、或いは、カシメ加工に加えて、中心鉄芯１の軸方向両端の終端面１Ｄを溶接しても良い。カシメ加工に加えて溶接を行う場合には、切除加工に先立って、短冊板の積層方向に向けて、中心鉄芯１の終端面１Ｄの中心部が略矩形状に溶接される（図２（ｃ）参照）。これは、短冊板の積層方向の熱膨張率を、これに直交する方向の熱膨張率につり合わせるためであり、略矩形状の溶接面ＷＬは、後の切除工程で設けられる切込み溝１Ａより幅広で、中心鉄芯の直径の半分程度に形成される。
【００２４】
何れにしても、組立工程を終えた中心鉄芯の軸方向の両端面１Ｄには、次の切除工程において、切込み溝１Ａが形成される。図２（ｂ）は、切除工程後の中心鉄芯１を図示したものであり、この実施例では、短冊板の積層方向に向けて、切込み溝１Ａが形成されている。図示の通り、切込み溝１Ａは、中心鉄芯の中心点を通って一方側から他方側まで、全ての短冊板の一部を切除して一直線に形成される。なお、この切除工程を省略するため、複数種類の短冊板を切り出す裁断工程において、各短冊板ＰＬに切込み溝１Ａを形成しても良い。
［テープ巻き工程］
軸方向の両端面１Ｄに切込み溝１Ａの形成された中心鉄芯１は、次に、テープ巻き工程に移送される。この場合、切込み溝１Ａを、位置決め用に利用できるので、その分だけ、テープの巻き付け精度が高めることができる。
【００２５】
このテープ巻き工程では、中心鉄芯１の外周に、中心鉄芯１の軸方向長さよりやや幅狭の緩衝テープＴＰを巻き付けられる（図１参照）。中心鉄芯１の外周を緩衝テープＴＰで覆うことで、珪素鋼板である短冊板の電気的絶縁性が確保される。また、緩衝テープＴＰで覆うことで、各短冊板ＰＬの幅方向両端のエッジ部が緩和されると共に、中心鉄芯１を覆うエポキシ樹脂にエッジ部が直接接触することが防止され、熱膨張／熱収縮によるエッジ部への応力集中によってエポキシ樹脂にクラックが発生することが防止される。
【００２６】
図３は、テープ巻き工程で使用されるテープ巻き装置２０の概略構成を図示したものである。このテープ巻き装置２０は、緩衝テープＴＰを保有するテープリール２２と、緩衝テープＴＰをテープリール２２から巻き出すテープ搬送ローラ２３と、同一方向に回転する一対の捲回ローラ２４Ａ，２４Ｂと、捲回ローラ２４Ａ，２４Ｂと協働して中心鉄芯１を押圧状態で回転させる押圧ローラ２５と、緩衝テープＴＰを切断する切断刃２６と、待機状態の中心鉄芯１を捲回ローラ２４Ａ，２４Ｂの間に載置すると共に、テープ巻き作業を終えた中心鉄芯１を取り出す搬送機構（不図示）とを備えて構成されている。
【００２７】
なお、テープ搬送ローラ２３と捲回ローラ２４は、コントローラ（不図示）に制御されて回転及び停止し、押圧ローラ２５と切断刃２６は、コントローラに制御されて適宜に昇降するようになっている。緩衝テープＴＰは、中心鉄芯１よりやや短い幅を有し、裏面（図では上側）に接着層を有する、厚さ６０μｍｍ程度の帯状のポリエステルフィルムであり、搬送ローラ２３の回転に合わせて案内路２７に巻き出され、切断刃２６の降下によって必要長さに切断される。
【００２８】
図３に示すテープ巻き装置２０は、テープ巻き作業を開始する直前の待機状態であり、テープ搬送ローラ２３及び捲回ローラ２４は停止しており、押圧ローラ２５及び切断刃２６は上昇位置にある。この待機状態で、切断刃２６から前方には、長さＬｓの緩衝テープＴＰが引き出されている。また、中心鉄芯１は、各短冊板ＰＬを水平状態にした姿勢で待機している。
【００２９】
図４は、図３の待機状態から動作開始状態に移行する瞬間を図示したものである。先ず、不図示の搬送機構が、待機状態の中心鉄芯１を保持して、これを捲回ローラ２４Ａ，２４Ｂの間に載置する。この時、中心鉄芯１は、その短冊板ＰＬが水平面上に位置するよう載置されるが、最下層の短冊板の下面の中央部には、緩衝テープの先端が位置するよう、緩衝テープＴＰの引き出し長さＬｓが設定されている。
【００３０】
捲回ローラ２４Ａ，２４Ｂの間に中心鉄芯１が載置されると、次に、押圧ローラ２５が降下して中心鉄芯１の最上層の短冊板を押圧する。その結果、中心鉄芯１全体が下向きに押圧されることになり、最下層の短冊板の下面の左半面に、緩衝テープＴＰが確実に接着される。次に、テープ搬送ローラ２３が反時計方向に回転を開始するのに合わせて、捲回ローラ２４Ａ，２４Ｂは、時計方向に回転を開始する。なお、半径Ｒのテープ搬送ローラ２３の外周速度と、捲回ローラ２４Ａ，２４Ｂの外周速度が一致するよう、各ローラ２３，２４の回転速度が設定されているのは勿論である。
【００３１】
捲回ローラ２４Ａ，２４Ｂが時計方向に回転すると、押圧ローラ２５に押圧された中心鉄芯１は反時計方向に回転し、また、押圧ローラ２５は時計方向に従動回転することになる。明らかなように、この状態では、テープ搬送ローラ２３は、中心鉄芯１に緩衝テープＴＰを接着させる接着速度に対応する速度で、緩衝テープＴＰを中心鉄芯１Ａに向けて送り出している。そして、テープ搬送ローラ２３の回転開始からの回転角度がθに達したタイミングでは、捲回ローラ２４Ａ，２４Ｂに送られる緩衝テープＴＰの全長は、Ｒ×θ＋Ｌｓとなる。なお、Ｒはテープ搬送ローラ２３の半径であり、Ｌｓは初期状態の引き出し長さである（図３）。
【００３２】
テープ搬送ローラ２３及び捲回ローラ２４の回転によって、Ｒ×θ＋Ｌｓ＝Ｓ・・・（式１）の条件が成立するまで緩衝テープＴＰが送られると、テープ搬送ローラ２３及び捲回ローラ２４の回転が一時停止され、この状態で切断刃２６が降下して緩衝テープＴＰを切断する（図５（ａ）参照）。なお、上記（式１）において、Ｓは、緩衝テープＴＰの中心鉄芯１への巻き付け長さであり、緩衝テープＴＰの接着開始点ＳＴに位置する短冊板と、接着終了点ＥＮＤに位置する短冊板とが、径方向の対称位置になるように設定されている（図５（ｃ）参照）。
【００３３】
すなわち、中心鉄芯１の外周長Ｌと、緩衝テープＴＰの巻き付け回数ｎに対応して、巻き付け長さＳは、Ｓ＝ｎ×Ｌ＋Ｌ／２に設定されている。本実施例の場合、接着開始点ＳＴとなる短冊板は、図４の最下層に位置する短冊板であるから、接着終了点ＥＮＤとなる短冊板は、図４では最上層に位置する短冊板となる。
【００３４】
以上説明した図３〜図５の動作によって、中心鉄芯１に対する緩衝テープＴＰの巻き付け作業が完了する。図５（ｃ）は完成状態の中心鉄芯１を図示したものであり、中心鉄芯１の外周には、中心鉄芯１の軸方向長さよりやや幅狭の緩衝テープＴＰが、一重以上に巻き付けられている。そして、接着開始点ＳＴと接着終了点ＥＮＤは、径方向対称の位置にあり、それぞれ積層方向の最上層であって、最も幅狭の短冊板ＰＬに位置している。なお、この状態でも、中心鉄芯１の上下両端部１Ｃは、緩衝テープＴＰで覆われることなく外部に露出している。
［コアキャップの接着工程］
続いて、中心鉄芯１の上下両端部１ＣにコアキャップＣＰを被せて接着する接着工程に移行する。ここでコアキャップＣＰは、強固な耐熱性及び耐寒性と適宜な弾力性を有することからシリコーンゴムが採用される。特に、本実施例では、透明又は半透明のシリコーンゴムが使用される。ここで、シリコーンゴム(silicone rubber)とは、主鎖が炭素‐炭素結合である一般の合成ゴムに対して、主鎖がケイ素‐酸素結合で構成されているものをいう。但し、特に限定されるものではなく、シリコーンゴムを超える耐熱性及び耐寒性を有することから、フッ素ゴムを使用しても良い。この場合も、透明又は半透明のフッ素ゴムを採用するのが好適である。
【００３５】
なお、中心鉄芯１の上下両端部１ＣをコアキャップＣＰで覆って固着するのは、短冊板とエポキシ樹脂の熱膨張率の差をコアキャップＣＰで吸収するためであり、中心鉄芯１の軸方向端面１Ｄを基点として、熱膨張／熱収縮による応力集中によってエポキシ樹脂にクラックが発生するのを防止するためである。
【００３６】
図６（ａ）は、有底円筒形に形成されたコアキャップＣＰを図示したものである。図示の通り、コアキャップＣＰの円形穴は、コアキャップＣＰの軸方向中央部より奥側（図示の下側）が、若干縮径した段付き穴とされている。すなわち、図６（ｅ）に示すように、コアキャップＣＰに中心鉄芯１がはめ込まれた状態では、奥側の小径部１３に、緩衝テープＴＰが巻かれていない露出側面１Ｃ（中心鉄芯の上下両端部）が配置され、開口側の大径部１４に、緩衝テープＴＰの巻かれた中心鉄芯１が配置されるよう設定されている。また、大径部１４は、外向きに狭まる傾斜角γが２°程度のテーパ形状となっている。
【００３７】
コアキャップの接着工程では、先ず、コアキャップＣＰの中にシリコーン系の接着剤１５を注入する。本実施例では、シリコーン（ケイ素樹脂）系接着剤を使用するため、硬化後はゴム弾性を有することになり、また、広い温度範囲で安定した性質を発揮する。
【００３８】
接着剤を保有したコアキャップＣＰが準備できたら、次に、中心鉄芯１を水平状態に保持して、その軸方向の両端面１Ｃに、コアキャップＣＰを水平方向に押し付けて被せる。すると、コアキャップＣＰに押圧されて接着剤１５が押し広げられるが、本実施例では、中心鉄芯１の終端面１Ｄに切込み溝１Ａが形成されているので、接着剤１５は、切込み溝１Ａを案内通路にして、中心鉄芯の露出側面１Ｃに移動することになる。すなわち、本実施例では、接着剤１５が中心鉄芯１の露出側面１Ｃに一様に広がることになり、接着剤１５が一箇所から加圧状態で噴出してコアキャップＣＰを押し広げて溢れ出るようなことない。
【００３９】
しかも、本実施例では、コアキャップが透明又は半透明であるので、コアキャップ内部の接着剤の広がり状況を確実に目視確認でき、万一、コアキャップから溢れ出る接着剤があれば、直ちにその異常を検出することができる。なお、この異常検出作業を容易化する趣旨から、本来は透明な接着剤１５に、適当な着色剤を添加しておいても良い。
【００４０】
以上、本発明の実施例について具体的に説明したが、上記の記載内容は一例を示したに過ぎず、本発明の趣旨を逸脱することなく適宜に変更可能である。例えば、切込み溝の形状は、必ずしも一直線である必要はなく、また、必ずしも全ての短冊板を切除して形成される必要はない。すなわち、中心鉄芯の終端面に形成された凹部であっても良い。
【図面の簡単な説明】
【００４１】
【図１】本発明の点火コイルの一実施例を示す概略縦断面図である。
【図２】図１の点火コイルの中心鉄芯の終端面を拡大して示す概略斜視図である。
【図３】テープ巻き装置の構成を示す概略図である。
【図４】テープ巻き装置の動作開始状態を説明する図面である。
【図５】テープ巻き装置の動作途中を説明する図面である。
【図６】コアキャップと、コアキャップを装着させた中心鉄芯を図示したものである。
【図７】本発明の切欠き構造を例示した図面である。
【図８】従来技術の問題点を説明する図面である。
【図９】従来技術の問題点を説明する図面である。
【符号の説明】
【００４２】
１  中心鉄芯
１Ｃ  軸方向両端部
１Ｄ  軸方向の終端面
２  二次ボビン
３  二次コイル
４  一次ボビン
５  一次コイル
ＴＰ  絶縁フィルム（緩衝テープ）
ＣＰ  コアキャップ
【図１】
2006080189.tif 000003
【図２】
2006080189.tif 000004
【図３】
2006080189.tif 000005
【図４】
2006080189.tif 000006
【図５】
2006080189.tif 000007
【図６】
2006080189.tif 000008
【図７】
2006080189.tif 000009
【図８】
2006080189.tif 000010
【図９】
2006080189.tif 000011